(57)【要約】  本発明は、スポーツの動きという領域内で抵抗力を与えることにより、技術を高めるためのスポーツ練習装置を提供する。本発明は、ユーザの大腿部に着用されるアーチ形フレームを備えており、フレームに連結された調節可能ベルトまたはカフによってユーザの大腿部に固定される。フレームに連結されたレバーがユーザの身体の前から遠方へと延伸しており、レバーには弾性コードが固定されている。弾性コードの他方端に取付手段が連結されており、ユーザが両腕でコードを延ばし、それによってユーザの動きに抵抗力を与えられるようになっている。この取付手段は、ユーザが着用するリストストラップまたは手袋、あるいはゴルフクラブなどのスポーツ用具の把手に、コードを取り付ける。
2012513244.tif 000002
【特許請求の範囲】
【請求項１】
（ａ）ユーザの大腿部に着用されるアーチ形フレームと、
（ｂ）前記フレームを前記ユーザの大腿部に固定すべく、前記フレームに連結された調節可能ベルトまたはカフと、
（ｃ）前記フレームに連結されており、前記ユーザの身体の前で前記フレームから遠方へと延伸するレバーと、
（ｄ）前記レバーの遠位端に固定された弾性コードと、
（ｅ）前記弾性コードの他方端に連結されており、前記ユーザが両腕で前記弾性コードを延ばすことが可能であり、それによって前記ユーザの動きに抵抗力を与える取付手段と、
を備えるスポーツ練習装置。
【請求項２】
前記レバーの長さが調節可能である、請求項１に記載のスポーツ練習装置。
【請求項３】
前記弾性コードは、弾性抵抗力の異なる他の弾性コードと交換可能である、請求項１に記載のスポーツ練習装置。
【請求項４】
前記取付手段は前記弾性コードをリストストラップに連結する、請求項１に記載のスポーツ練習装置。
【請求項５】
前記取付手段は前記弾性コードを手袋に連結する、請求項１に記載のスポーツ練習装置。
【請求項６】
前記取付手段は前記弾性コードをスポーツ用具の把手に連結する、請求項１に記載のスポーツ練習装置。
【請求項７】
前記スポーツ用具がゴルフクラブである、請求項６に記載のスポーツ練習装置。
【請求項８】
前記フレームおよびレバーが金属製である、請求項１に記載のスポーツ練習装置。
【請求項９】
前記フレームおよびレバーがプラスチック製である、請求項１に記載のスポーツ練習装置。
【請求項１０】
前記レバーが前記フレームに連結されたヒンジを中心に回転し、前記レバーが前記弾性コードによって反対方向に引張られたときに、レバー止めによって前記レバーが前記フレームに対して一方向に折り畳まれ、延伸端位置で前記レバーを停止させる、請求項１に記載のスポーツ練習装置。
【発明の詳細な説明】
【技術分野】
【０００１】
本発明は一般にスポーツの練習器具に関し、より具体的にはゴルフスイングの生体力学領域内で筋肉に抵抗力を与え、それによって特定の筋力と技術の両方を高める機器に関する。
【背景技術】
【０００２】
近年、ゴルフは一般市民の間で人気が高まってきた。しかし残念ながら、適切なゴルフスイングは、最も習得が困難なスポーツの動きのうちの一つである。ゴルフスイングを習得することの難しさの一部は、筋力不足と、関連する筋肉群どうしの協調の欠如とに由来する。ゴルフスイングは、上半身と下半身との動きを協調的に統合する必要のある全身運動であり、腹部および腰部の筋肉（別称コア）が作用して、脊椎を安定させながら上半身と下半身との間で力を伝達する。
【０００３】
図１は、人体の運動平面を表す。ゴルフスイングの動きのパターンは、主として横方向（別称軸方向）の移動平面で行われるものだが、従来の筋力運動はほとんどが矢状面で行われ、前額面で行われる運動が少ないため、この動きは、比較的筋力のある人でも弱い移動平面になる傾向がある。ほとんどと言うほどではないものの、多くの自然な動きが横断面要素を有するものの、これらの動きが、ゴルフスイングの動きと同様の負荷および力の状況下で行われることは稀である。ボール投げやテニスラケットのスイングなど、大きな横断面要素を伴う爆発性の運動であっても、比較的軽い抵抗力を受けて行われ、ゴルフクラブよりはるかにレバーアームが短く、それほど回転力の生成を必要としない用具を使用する。そのため、必要な筋肉を適切に強化する必要があるだけでなく、横断面内で協調的な方法で力を生み出せることも必要である。
【発明の概要】
【発明が解決しようとする課題】
【０００４】
したがって、ゴルフスイングの際に使う筋肉の強化を支援するだけでなく、適切なゴルフスイング技術を増進するように支援する機器を有することが望ましい。
【課題を解決するための手段】
【０００５】
本発明は、スポーツの動きという領域内で抵抗力を与えることにより、技術を高めるためのスポーツ練習装置を提供する。本発明は、ユーザの大腿部に着用されるアーチ形フレームを備えており、フレームに連結された調節可能ベルトまたはカフによってユーザの大腿部に固定される。フレームに連結されたレバーがユーザの身体の前から遠方へと延伸しており、レバーには弾性コードが固定されている。弾性コードの他方端には取付手段が連結されており、ユーザが腕でコードを延ばし、それによってユーザの動きに抵抗力を与えられるようになっている。この取付手段は、ユーザが着用するリストストラップまたは手袋にコードを取り付けたり、ゴルフクラブなどのスポーツ用具の把手にコードを取り付けたりすることができる。好適な実施形態では、このコードが身体を横切って引張られると、レバーがヒンジを中心に回転し、延伸端位置でロックされる。
【０００６】
ゴルフのバックスイング時など、ユーザが両腕を後ろに引いたときに、この弾性コードによってレバーが延伸端位置に入り、そこでレバー止めによってそれ以上のレバーの回転が抑制される。継続的な腕の動きによって弾性コードが伸長し、この動きに反発する抵抗力を与える。この抵抗力により、動きに関わる筋肉に対する負荷が増大して、動きという領域内でその力を増大させるとともに、適切な姿勢と安定化を増進し、より効率的な技術へとつながる。
【０００７】
本発明の特徴と考えられる新規性のある特徴は、添付の特許請求の範囲に記載されている。しかし、本発明自体、好適な使用態様、および本発明のさらなる目的ならびに利点は、添付の図面と併読されたときに、例示的実施形態に関する以下の詳細な記述を参照することによって最も良く理解されるであろう。
【図面の簡単な説明】
【０００８】
【図１】人体の運動平面を表す。
【図２Ａ】本発明の好適な実施形態にかかるゴルフ練習装置の斜視図である。
【図２Ｂ】ゴルフ練習装置の上面図である。
【図３Ａ】本発明の代替実施形態にかかるゴルフ練習具の斜視図である。
【図３Ｂ】代替実施形態の上面図である。
【図４】本発明にかかる弾性抵抗コードの遠位端を取り付けるための専用リストストラップを示す。
【図５Ａ】本発明にかかるゴルフクラブの把手に弾性コードを固定するための取付装置を示す。
【図５Ｂ】本発明にかかるゴルフクラブの把手に弾性コードを固定するための取付装置を示す。
【図５Ｃ】本発明にかかるゴルフクラブの把手に弾性コードを固定するための取付装置を示す。
【図６Ａ】本発明にかかる使用中のゴルフ練習装置の正面図を示す。
【図６Ｂ】本発明にかかるゴルフ練習装置を用いてゴルフのバックスイングしているユーザの俯瞰図を示す。
【図６Ｃ】バックスイング時に装置のレバーが身体の前でどのように延伸して適切な抵抗角度をもたらすかをより明確に示すゴルフ練習具の側面図である。
【発明を実施するための形態】
【０００９】
図２Ａは、本発明の好適な実施形態にかかるゴルフ練習装置の斜視図である。装置２００は、ユーザの大腿部全体にわたって適合するために湾曲しているベースフレーム２０１を備える。このフレームは、装置をユーザの大腿部に適切に調節して固定する目的で使用される調節可能ベルトまたはカフ（図示せず）に連結されている。レバー２１０がヒンジ２１２でフレーム２０１上に取付られている。ゴルフ練習装置のフレーム２０１、ヒンジ２１２、およびレバー２１０は、金属製または高強度プラスチック製であってもよい。
【００１０】
図２Ｂは、ゴルフ練習装置の上面図である。本実施例では、レバー２１０が、フレーム２０１に対して矢印２２０が示すように折り畳み可能である。レバー２１０は、延伸端位置に達すると、レバー止め２１１によってそれ以上の動きが抑制される。レバー止め２１１はフレーム２０１に装着されており、レバーのさらなる回転を抑制する。
【００１１】
レバー２１０の遠位端には、外科用チューブやバンジーコード、あるいは同様の弾性素材から製作され得る弾性コード（図示せず）が取り付けられている。図２Ａおよび図２Ｂに示されている実施例では、この弾性コードがレバー２１０の終端にあるリングに結び付けられている。
【００１２】
図３Ａは、本発明の代替実施形態にかかるゴルフ練習具の斜視図である。図３Ｂは、代替実施形態の上面図である。この代替実施形態は、小さな設計上の違いを除き、図２に示す実施形態と機能的に同等である。本実施形態のフレーム３０１の方がアーチが短く、先述の実施形態ほどユーザの大腿部の周囲を覆わない。加えて、弾性コード３３０は、レバー３１０の遠位端で、回動ヘッド３１１によって供給される。レバーヘッド３１１は、図３Ａで矢印３２０が示す軸３１２を中心に回動する。先述の実施形態に示す通り、レバー３１０は、ヒンジ３１３を中心に回動することにより、フレーム３０１に折り重ねることができる。これにより、保管しやすくなる。本実施形態では、レバーの近位端３１４が、回動点３１３を超えて延伸し、レバー３１０の外方向への延伸をユーザの大腿部に対して略直角の位置までに制限する自然の止め具として機能する。
【００１３】
バックスイング時に抵抗力を生み出すために、弾性コード３３０の遠位端３４０は、ゴルフクラブの基部付近で固定されている。一実施形態において、弾性コードは、ユーザが着用するリストストラップまたは手袋に取り付けられる。別の実施形態では、コードがゴルフクラブの把手に直接取り付けられる。
【００１４】
図４は、本発明にかかる弾性抵抗コードの遠位端を取り付けるための専用リストストラップを示す。本実施形態では、手首周りに固定されているストラップ４０２に弾性コード４０１が取り付けられている。リストストラップ４０２は、指に覆い被せられて荷重時に手をさらにサポートする弾性環４０３を有する。
【００１５】
図５Ａ〜図５Ｃは、本発明にかかるゴルフクラブの把手に弾性コードを固定するための取付装置を示す。図５Ａは、展開された装置５００を示す。この装置は、ベルクロストラップ５０１をワイヤ５０２のループ端に通したものである。ベルクロストラップ５０１の一端は小穴５１１を有し、この小穴５１１にストラップ５０１の他端が入り、図５Ｂに示すループを形成する。図５Ｃに示す通り、このベルクロループは、ゴルフクラブの把手５１０の端部に適合する。ワイヤループ５０２は、弾性コードが接続される取付ポイントを形成する。
【００１６】
図４および図５に示す実施形態は、単なる例に過ぎない。数多くの構成が、弾性コードをユーザの手／手首またはゴルフクラブの把手のどちらに接続するためにも使用することができる。最も重要なことは、正しい引張り線を提供するために、クラブの把手を握る手の位置の近くに抵抗力が加えられるということである。
【００１７】
図６Ａは、本発明にかかる使用中のゴルフ練習装置の正面図を示す。ゴルフ練習具６０１は、バックスイングとは反対側の大腿部に着用すべきである。そのため、右側にバックスイングする右利きのゴルファーの場合には、練習装置６０１が、図６に示す通り左脚の大腿部に着用される。
【００１８】
図６Ａは、バックスイングの際に弾性コード６０２がどのように身体を横切って引張られるかを表している。上記説明の通り、弾性コードの遠位端は、ゴルフクラブの把手（グリップ）か、あるいはユーザが着用するリストバンドに取り付けられる。アームが引かれてバックスイングに入ると、弾性コードがまず、ゴルフ練習具に装着されたレバー６１１を、レバー止めがさらなる動作を抑制する延伸端位置に達するまで引張る（図６Ｃを参照）。このポイント以降は、弾性コード６０２の増大する抵抗力に反発して、バックスイングにおける残りの動作範囲が実行される。
【００１９】
図６Ｂは、本発明にかかるゴルフ練習装置を用いてゴルフのバックスイングしているユーザの俯瞰図を示す。この図でより明確に確認される通り、延伸したレバー６１１は、適切な引張角度を弾性コード６０２に提供する。ユーザの身体の前で延伸したこの固定ポイントがなければ、弾性コードは単に身体の前付近で伸びるだけであり、バックスイングの際に適切な角度で適切な抵抗力を加えることなく適切な動きを制限するだけであろう。本発明の一実施形態では、ユーザの身長と肢の長さに応じて引張角度をカスタマイズするために、レバー６１１の長さを調節することができる。
【００２０】
図６Ｃは、バックスイング時に装置のレバー６１１が身体の前でどのように延伸して適切な抵抗角度を提供するかをより明確に示すゴルフ練習具の側面図である。
弾性コードによって与えられる抵抗力により、臀筋、膝腱、腹筋、脊柱起立筋、広背筋、および脊椎に安定性と自己受容性感覚を与える小さな傍脊柱筋など、主としてバックスイング時の身体の安定化に関わる筋肉の活性が特に高まる。これらの筋肉の適切な活性化と、これらの筋肉がもたらす安定化がなければ、ゴルファーは正しい姿勢とフォームを維持することができないため、前方へのスイング時にゴルフクラブがボールに対して適切な戻り経路をたどらない。また、筋肉の活性化と安定化が不足すると、バックスイング時に筋肉と腱とに蓄えられる位置エネルギーが消散することにもなり、その位置エネルギーが戻りスイングの力に貢献しない。
【００２１】
弾性コードによって与えられる抵抗力は、バックスイングに制動機序を付与することにより、適切な技術を強化する。弾性コードによって加えられる抵抗力は、コードが伸長される長さに比例して必然的に増大する。そのため、ユーザがより深くバックスイングすると、弾性コードは、クラブおよびユーザの両腕の後方への動きを阻むまで抵抗力を増大させる。本発明のこの態様は、ゴルフクラブの慣性を制御することに課題を持っていることがあり、バックスイングの際に後方へのクラブの動きを適切なポイントで止めることのできない初心者にとって特に重要である。本発明の一実施形態では、抵抗力の大きさを調節するために、弾性コードを別のコードと交換することができる。例えば、体重が１００ポンド（約４５ｋｇ)の女性ゴルファーであれば、２００ポンド（約９０ｋｇ）の男性と同じ大きさの抵抗力を必要とせず、実際、使用する抵抗力が大きすぎれば、技術を高めるどころか、適切な技術を損なうであろう。
【００２２】
以上、本発明について、主として適切なゴルフスイングの練習に使用することに関して説明してきたが、実際には、他のスポーツの動きにも応用することができる。ゴルフスイングと生体力学的に近い動きとして、テニスで用いられる両手バックハンドがある。本発明の練習装置は、バックハンドストロークのバックスイングに抵抗力を加えるための適切な引張り線を提供する。しかし、テニスラケットはゴルフクラブに比べて軽く、レバーアームが短いため、抵抗がより小さい弾性コードが使用されることになる。本発明は、バスケットボールのシュート（各脚に２つの装置を必要とする）など、バックスイングを伴わないスポーツの動きへの応用例も有する。
【００２３】
本発明に関する記述は、例示および説明を目的として提示されたものであり、本発明を完全に網羅することや、開示された形態に制限することを意図するものではない。当業者には数多くの修正および改変が明らかであろう。実施形態は、本発明の原理、すなわち実際の適用を最も良く説明するため、および他の当業者が、意図される特定の用途に適した各種修正を伴う各種実施形態を実現するために本発明を理解できるように選択および記載されたものである。特許請求の範囲に開示された本発明の範囲から逸脱しない限り、開示された実施形態に対して数々の改変が可能であることが、当業者によって理解されよう。
【図１】
2012513244.tif 000003
【図２Ａ】
2012513244.tif 000004
【図２Ｂ】
2012513244.tif 000005
【図３Ａ】
2012513244.tif 000006
【図３Ｂ】
2012513244.tif 000007
【図４】
2012513244.tif 000008
【図５Ａ】
2012513244.tif 000009
【図５Ｂ】
2012513244.tif 000010
【図５Ｃ】
2012513244.tif 000011
【図６Ａ】
2012513244.tif 000012
【図６Ｂ】
2012513244.tif 000013
【図６Ｃ】
2012513244.tif 000014
【国際調査報告】
2012513244.tif 000015
2012513244.tif 000016